(57)【要約】【課題】  架枠に搭載された保安器モジュールに対する回線切分け操作や回線試験操作を簡単且つ確実に行うことができる試験アダプタを提供する。【解決手段】  試験弾器における対の弾器ばね間にそれぞれ差し込まれ、各弾器ばねと接触する側面に各弾器ばねと導電的に接続するプリント配線を有する複数個のプラグ端子２０ａ１,２０ｂ１を、弾器ばねの配列に対応した配列で備えているプラグユニット２と、対向接触する２つの弾器ばねの対を保安器モジュールの弾器ばねの対と対応した配列で備え、各対の弾器ばね間に切分片又は試験プラグを差し込むための角窓３２０ａ１〜３２０ｂ１６を有するジャックユニット３と、プラグユニットとジャックユニットの間に延伸し、プラグ端子のプリント配線とジャックユニットの弾器ばねとの間を一対一の組み合せで連結している導線を有するケーブル５とを有すようにする。【選択図】  図１
0003110650.tif 000002
【実用新案登録請求の範囲】
【請求項１】
対向して接触する弾器ばねの対を複数対、整列して有している保安器モジュール試験弾器の各対の弾器ばね間にそれぞれ差し込まれ、この差し込みによって各弾器ばねと接触する側面に該弾器ばねと電気的に接続する配線をそれぞれ有する複数個のプラグ端子を、上記弾器ばね対の配列に対応した配列で収容しているプラグユニットと、
対向して接触する弾器ばねの対を複数対、上記保安器モジュールの弾器ばね対に対応した配列にて収容し、収容された各対の弾器ばね間に切分片又は試験プラグを差し込むための角窓を備えているジャックユニットと、
前記プラグユニットとジャックユニットの間に延伸し、一対一に対応するプラグ端子とジャックユニット弾器ばね対との間において、プラグ端子の一側面に設けた配線と一方の弾器ばねとの間、及びプラグ端子の他側面に設けた配線と他方の弾器ばねとの間をそれぞれ個別に電気的に接続している導線を有するケーブルと、
を有することを特徴とする保安器モジュール試験アダプタ。
【請求項２】
前記ジャックユニットが、前記保安器モジュールのＵスリットハウジングの前面側に配置されるよう、保安器モジュールに対する掛止部材を有していることを特徴とする請求項１に記載の保安器モジュール試験アダプタ。
【請求項３】
前記掛止部材が、
前記保安器モジュールのサブモジュールを側方から挟むことができるように、前記ジャックユニットのハウジングから延伸している２本の腕片と、
これら腕片の先端内側に形成され、前記サブモジュールの両側面に設けた凹部に係合するロック爪とを有し、
上記腕片が、前記ロック爪を上記凹部との係合から解除する方向へ偏倚させるための腕片回動摘み部片を有している
ことを特徴とする請求項２に記載の保安器モジュール試験アダプタ。
【考案の詳細な説明】
【技術分野】
【０００１】
本考案はＰＢＸ（構内交換機）や電話交換機などの通信装置が設置される場所において、交換機側と加入者側とのインターフェイス部に施設される主配線盤に実装され、雷による過電圧、過電流から交換機を保護し、また、通信回線の切り分けを行い、かつ通信回線の入出力接続処理を行う保安器モジュールに関するものであり、特に該保安器モジュールにおける試験弾器に対して用いられる試験アダプタに関する。
【背景技術】
【０００２】
従来、保安器モジュールは、例えば下記特許文献１（実公平６−４４２７８号公報）に記載されているように、間隔を置いて平行に配置された二枚のプリント配線板上に、過電圧、過電流防護素子として用いられるＰＮＰＮ型半導体素子、入回線接続用Ｕスリット端子、出回線接続用コネクタ、および通信回線の切分け並びに試験用の試験弾器を各々搭載した扁平な構造の保安器サブモジュールを複数個、例えば１６個、ＭＴＧ（Ｍｏｕｎｔｉｎｇ）枠内に段積みし、一体化した構造となっており、このように構成した保安器モジュールは電話局等内の架枠に縦方向に整列して搭載され、このような保安器モジュールの縦列は架枠上でそれぞれ作業用間隙を隔てて横方向に並列配置されている。
【０００３】
【特許文献１】実公平６−４４２７８号公報
【考案の開示】
【考案が解決しようとする課題】
【０００４】
保安器モジュールは、上記のように架枠に搭載された状態において、そのＵスリット端子が作業者に対面する側、即ち前面側に位置し、試験弾器の切分片又は試験プラグ差込口が側面側、例えば作業者から見て右側面側に位置する。
【０００５】
従って、通信回線の切り分けのため或いは各種回線試験のための試験弾器に対する切分片差込操作や試験プラグ差込操作は、保安器モジュール側面側（例えば右側面側）の上記作業間隙から行わねばならず、この作業間隙は比較的狭いために、差込操作が行いにくいという問題があり、また保安器サブモジュールを例えば８回線から１６回線収容にするような、保安器モジュールの高密度実装化を図る場合、これに伴い試験弾器の弾器ばねの実装ピッチが例えば４ｍｍから２．５ｍｍと狭ピッチになるため、切分けや試験を行うべき回線に対応する試験弾器上の弾器ばねへの差込口が認識しずらく、見出し難いという問題がある。
【０００６】
従って、本考案の目的は、上記のように架枠に搭載された保安器モジュールの試験弾器に対する切分片差込操作や試験プラグ差込操作を容易に且つ確実に行うことができるようにすることである。
【課題を解決するための手段】
【０００７】
上記目的を達成する請求項１に記載の保安器モジュール試験アダプタは、対向して接触する弾器ばねの対を複数対、整列して有している保安器モジュール試験弾器の各対の弾器ばね間にそれぞれ差し込まれ、この差し込みによって各弾器ばねと接触する側面に該弾器ばねと電気的に接続する配線をそれぞれ有する複数個のプラグ端子を、上記弾器ばね対の配列に対応した配列で収容しているプラグユニットと、対向して接触する弾器ばねの対を複数対、上記保安器モジュールの弾器ばね対に対応した配列にて収容し、収容された各対の弾器ばね間に切分片又は試験プラグを差し込むための角窓を備えているジャックユニットと、前記プラグユニットとジャックユニットの間に延伸し、一対一に対応するプラグ端子とジャックユニット弾器ばね対との間において、プラグ端子の一側面に設けた配線と一方の弾器ばねとの間、及びプラグ端子の他側面に設けた配線と他方の弾器ばねとの間をそれぞれ個別に電気的に接続している導線を有するケーブルと、を有することを特徴とするものである。
【０００８】
上記のように構成した本案の保安器モジュール試験アダプタによれば、そのプラグユニットを、切分けや試験を行うべき回線を有する、架枠上の保安器モジュールにおけるサブモジュールの試験弾器に一括的に差し込んで接続し、その上でジャックユニットをＵスリットハウジングが位置する架枠正面側へもたらして定置することができ、従って、回線の切分けや試験は、架枠正面側に定置されたジャックユニットに設けた角窓に切分片又は試験プラグを差込むことにより行うことができるので、切分けや試験作業が極めて簡単且つ正確に行える。
【０００９】
請求項２に記載のように、前記ジャックユニットが、前記保安器モジュールのＵスリットハウジングの前面側に配置されるよう、保安器モジュールに対する掛止部材を有しているようにすれば、ジャックユニットを作業し易い位置に確固に定置することができる。
【００１０】
請求項３に記載のように、前記掛止部材が、前記保安器モジュールのサブモジュールを側方から挟むことができるように、前記ジャックユニットのハウジングから延伸している２本の腕片と、これら腕片の先端内側に形成され、前記サブモジュールの両側面に設けた凹部に係合するロック爪とを有し、上記腕片が、前記ロック爪を上記凹部との係合から解除する方向へ偏倚させるための腕片回動摘み部片を有しているようにすれば、保安器モジュールに対するジャックユニットの着脱操作が極めて簡単になる。
【考案の効果】
【００１１】
本考案によれば、保安器モジュールの側部に実装された試験弾器に対して回線切り分け、回線試験を行う際には、試験アダプタを装着することにより、前面側の広いスペースで操作ができ、従って作業効率の向上が図れ、また弾器ばねが１６回線のように稠密な状態で配列されている場合に、該当する回線に対応する弾器ばねが正確且つ迅速に判別でき且つアクセスできる効果が得られる。また、試験アダプタを使用しない場合には、保安器モジュールから容易に取り外しができ、保管が可能となる。また、試験プラグのプラグユニットとジャックユニットを結ぶケーブルの余長を適切にとることにより、Ｕスリットハウジングに対する作業をその前面から行う際、プラグユニットを支承のない位置に移動させることができる。
【考案を実施するための最良の形態】
【００１２】
以下、図面を参照して、本考案に係る保安器モジュール試験アダプタの実施の形態について説明する。
【００１３】
始めに、本案による試験アダプタが装着される保安器サブモジュールについて図６を参照して説明する。
【００１４】
図６に例示されている保安器サブモジュール４００は１６通信回線に対応するものであって、間隔を置いて平行に配置された二枚のプリント配線板（図には上側のプリント配線板４１０Ａのみが示されている）と、３２本のＵスリット端子を収容し保安器サブモジュールの前面側となるプリント配線板端縁部に取り付けられたＵスリットハウジング４２０と、保安器サブモジュールの側面側となるプリント配線板側縁部に取り付けられた通信回線切分け並びに試験用試験弾器４３０と、この試験弾器と同じ側縁部に取り付けられた出回線接続用コネクタ４４０ａ、４４０ｂとを有している。
【００１５】
上記Ｕスリットハウジング４２０内には、並列された１６本のＵスリット端子からなる列が２列、上下平行配列関係で収容され、上側列の１６本のＵスリット端子４２０Ａ１，４２０Ａ２・・・４２０Ａ１６の基端は上側のプリント配線板４１０Ａに固定され、下側列の１６本のＵスリット端子の基端は下側のプリント配線板に固定されている。
【００１６】
上側プリント配線板４１０上には過電圧、過電流防護素子として用いられる１６個のＰＮＰＮ型半導体素子４５０Ａ１，４５０Ａ２・・・４５０Ａ１６が整列して取り付けてあり、これら半導体素子は、上側のプリント配線板４１０Ａに形成された１６本のプリント配線を介して上側列のＵスリット端子４２０Ａ１，４２０Ａ２・・・４２０Ａ１６にそれぞれ接続されている。同様に、下側プリント配線板にも同様の半導体素子が取り付けてあり、これら半導体素子は、下側のプリント配線板に形成された１６本のプリント配線を介して下側列のＵスリット端子にそれぞれ接続されている。
【００１７】
上記の試験弾器４３０は、並列された１６個の弾器ばね対からなる列を２列、上下に重ね合わせた状態で有しており、上方の弾器ばね対列は上側プリント配線板４１０Ａに取り付けられ、下側の弾器ばね対列は下側プリント配線板に取り付けられている。各弾器ばね対は２本の弾器ばねを有しており、一方の弾器ばねは関係するプリント配線板の表側に、他方の弾器ばねは同プリント配線板の裏側に基端部が固定され、他端部は同プリント配線板の縁部から張り出し、合掌した状態で接触し、切分け部を形成している。従って、１列１６個の切分け部が２列、並列した状態で試験弾器４３０に設けられ、これら切分け部に対しそれぞれ切分片や試験プラグを差し込むために、各切分け部に対応して差込窓が形成された枠部材４３１が、上下のプリント配線板の１側縁を部分的に覆う形で両プリント配線板に固着されている。
【００１８】
上側プリント配線板４１０Ａの表面側に固着された１６個の弾器ばねは、同プリント配線板に設けられた１６本のプリント配線を介して、上記半導体素子４５０Ａ１，４５０Ａ２・・・４５０Ａ１６にそれぞれ１対１の組み合せで接続されており、また上側プリント配線板４１０Ａの裏面側に固着された１６個の弾器ばねの内、半分の８個は、同プリント配線板に設けられた他の８本のプリント配線を介して、出回線接続用コネクタ４４０ａの上側８個の端子にそれぞれ接続され、他の半分の８個の弾器ばねは、同プリント配線板に設けられた更に他の８本のプリント配線を介して、出回線接続用コネクタ４４０ｂの上側８個の端子に接続されている。
【００１９】
また、下側プリント配線板においても、半導体素子と、弾器ばねと、出回線接続用コネクタ４４０ａ，４４０ｂのそれぞれ下側８個の端子との相互接続が、上側プリント配線板の場合と同様に行われている。
【００２０】
上記保安器サブモジュール４００には、試験弾器４３０及び出回線接続用コネクタ４４０ａ，４４０ｂ側の側面に対して反対側の側面に複数の通線口４６０が設けてあり、この通線口からジャンパー線が挿入され、その先端部がＵスリットハウジング４２０へ導かれ、Ｕスリット端子（例えば４２０Ａ１）に接続されるようになされている。
【００２１】
上記のように構成された扁平な構造の保安器サブモジュール４００は、複数個、例えば１２個が、ＭＴＧ（Ｍｏｕｎｔｉｎｇ）枠内に段積みされ、一体化されて保安器モジュールとなされ、この保安器モジュールは電話局等内の架枠に縦方向に整列して搭載され、更にこのような保安器モジュールの縦列は架枠上でそれぞれ作業用間隙を隔てて横方向に並列配置される。
【００２２】
上記のように架枠に搭載された保安器モジュールのサブモジュールにおいて、各通線口に上記のようにジャンパー線を挿入し、その先端をＵスリット端子に接続すれば、（加入者側通信線に接続している）ジャンパー線→Ｕスリット端子→半導体素子→弾器ばね対→（交換機側通信線に接続している）出回線接続用コネクタの端子、を経由する通信線が、上記例示の保安器サブモジュールの場合、３２本形成され、それらの内の２本が一組となって１通信回線を形成するので、１つの保安器サブモジュール当たり１６通信回線が形成される。
【００２３】
次に、上記のように架枠に搭載された保安器モジュールに対して使用される本案の試験アダプタについて、図１〜図５を参照しつつ説明する。図１は本考案による保安器モジュール試験アダプタの組立斜視図、図２は同試験アダプタのプラグユニットの分解斜視図、図３は同試験アダプタのジャックユニットの分解斜視図、図４はジャックユニット弾器ばねの拡大図、図５は同試験アダプタの回路図示している。
【００２４】
図１に示すように、試験アダプタ１はプラグユニット２と、ジャックユニット３と、これら両ユニットを導電的に接続するケーブル５とを有している。
【００２５】
図２は上記プラグユニットの詳細を示しており、このプラグユニット２は図示のように、プラグ端子２０ａ１〜２０ａ１６の列及び２０ｂ１〜２０ｂ１６（２０ｂ１，２０ｂ２のみが示されている）の列をそれぞれ櫛歯状に一体的に有する電気的非伝導材料（例えばＣＥＭ３，ＦＲ４などのエポキシガラス積層板）製の２枚のプラグ端子保持基板２１ａ，２１ｂと、これらプラグ端子保持基板を収容しているプラグ端子用矩形状ハウジング２２とを有しており、上記プラグ端子保持基板２１ａ，２１ｂは、上記ハウジング２２の両側壁の内側に形成された基板案内溝に両端部を嵌め込むことによってハウジング内に固定され、その際プラグ端子はハウジングから前方へ突出するようになされている。
【００２６】
上側列の１６個のプラグ端子２０ａ１〜２０ａ１６は、上記試験弾器４３０における上側の１６個の弾器ばね対の切分け部に対応して配列されており、同様に下側列の１６個のプラグ端子２０ｂ１〜２０ｂ１６は、下側の１６個の弾器ばね対の切分け部に対応して配列されている。従って、プラグ端子２０ａ１〜２０ａ１６及び２０ｂ１〜２０ｂ１６は一括的に対応する弾器ばね対の切分け部へ差込可能である。
【００２７】
上記の非導電材料製プラグ端子２０ａ１〜２０ａ１６及び２０ｂ１〜２０ｂ１６の表裏両面にはそれぞれプリント配線が設けられており、この配線はプラグ端子が上記切分け部に差込まれた際、対面する弾器ばねと接触する。各配線は、個々に、下記のケーブル５内を延伸する導線を経由して、下記のジャックユニットの弾器ばねに一対一の対応で接続されている。
【００２８】
図３は上記ジャックユニット３の分解斜視図を示しており、このジャックユニットは上段及び下段の２列の弾器ばね対列を保持する絶縁材料製ベース３１と、このベースを収納するハウジング３２とを有している。
【００２９】
上記ベース３１における弾器ばね対は、図示の実施形態では、上段及び下段の列３１ａ，３１ｂにおいて、それぞれ１６対づつ設けられている。ベース３１の前面側には上段及び下段それぞれに３６対の合掌ばねが示されているが、これは１つの弾器ばね対がダブルの合掌ばねを有しているためであって、ダブルの合掌ばねの上側ばね同士と下側ばね同士はそれぞれ基部で結合し、ベース３１の後面側に突出している端子部に結合している。このことは図４の拡大尺から明らかである。例えば、上段列３１ａの右端２組の合掌ばね３１ａ１６１，３１ａ１６２及び３１ａ１６３，３１ａ１６４の場合、ばね３１ａ１６１と３１ａ１６３が基部で一体となり端子部３１ａ１６５に結合し、ばね３１ａ１６２と３１ａ１６４が基部で一体となり端子部３１ａ１６６に結合している。従って、合掌ばね３１ａ１６１，３１ａ１６２及び３１ａ１６３，３１ａ１６４が１つの弾器ばね対３１ａ１６を形成している。この構成は下段列３１ｂの合掌ばね３１ｂ１６１，３１ｂ１６２及び３１ｂ１６３，３１ｂ１６４についても同様であり、それらが１つの弾器ばね対３１ｂ１６を形成している。対向する２つの合掌ばねはその中央部分で互いに接触し、先端部においては両合掌ばねの間に切分け片又は試験プラグが差し込み易いよう末広がりに拡開している。
【００３０】
上記ジャックユニット２の弾器ばね対の各端子部は、ケーブル５内の導線を介して、プラグユニット２のプラグ端子のプリント配線に一対一の対応で電気的に結合されている。即ち、ジャックユニット３の端子部３１ａ１６５は、プラグユニット２のプラグ端子２０ａ１６の上面に形成したプリント配線に接続し、ジャックユニット３の端子部３１ａ１６６は、プラグユニット２のプラグ端子２０ａ１６の下面に形成したプリント配線に接続している。これらの接続の態様が図５に示されている。この図から明らかなように、例えば、弾器ばね対３１ａ１６及び３１ｂ１６において、端子部３１ａ１６５は導線４ａ１６１を介してプラグ端子２０ａ１６上面のプリント配線に接続され、以下同様に、３１ａ１６６は４ａ１６２を介してプラグ端子２０ａ１６下面のプリント配線に、３１ｂ１６６は４ｂ１６１を介してプラグ端子２０ｂ１６上面のプリント配線に、３１ｂ１６６は４ｂ１６２を介してプラグ端子２０ｂ１６下面のプリント配線に接続されている。
【００３１】
図５の回路図に示すような上記の接続を行うことにより、プラグユニット２のプラグ２０ａ１〜２０ｂ１６が図６に示す保安器サブモジュール４００の試験弾器４３０における切分け部に差し込まれた際、ジャックユニット３の弾器ばね対３１ａ１〜３１ｂ１６が、試験弾器４３０の弾器ばね対と同配列となり、同じ作用を果たすものとなる。
【００３２】
図３に示すように、ジャックユニット３のハウジング３２は、その前端壁３２０に複数の角窓が形成されており、これら角窓は上記弾器ばね対列３１ａ，３１ｂに対応して上下２段に配列され、従って上段の角窓３２０ａ１〜３２０ａ１６は、上段の弾器ばね対３１ａ１〜３１ａ１６に対応し、下段の角窓３２０ｂ１〜３２０ｂ１６は、下段の弾器ばね対３１ｂ１〜３１ｂ１６に対応しており、ベース３１をハウジング３２内に完全に収納した状態では、各弾器ばね対の拡開先端部が対応する角窓に整合した状態になる。
【００３３】
また、ジャックユニットハウジング３２の側壁には、ジャックユニット３を上記保安器サブモジュール４００に掛止するための掛止部材が設けてあり、この掛止部材は掛止腕片３３ａ,３３ｂを有し、各腕片はその中途部分がハウジング側壁から突出する支持突起３２１に結合され、この支持突起を境に、手前側の摘み部片３３ａ１,３３ｂ１と先方側の掛止部片３３ａ２，３３ｂ２とを備えたものとなっている。掛止部片３３ａ２，３３ｂ２はハウジング３２の後縁部より先まで互いに平行に延伸しており、それらの先端部内側にはロック爪３３ａ３，３３ｂ３が形成され、これらロック爪の外縁は内側に傾斜するスロープ３３ａ４，３３ｂ４となされている。
【００３４】
上記掛止部片３３ａ２，３３ｂ２の間隔は上記Ｕスリットハウジング４２０及びそれに連続する保安器サブモジュール部分の幅寸法と略同じになされており、従って、掛止部片３３ａ２，３３ｂ２を保安器サブモジュールに係合させるために、ジャックユニット３を保安器サブモジュールに対してその前面側から押し込む際、ロック爪３３ａ３、３３ｂ３はＵスリットハウジング及び保安器サブモジュール部分の側面に摺接しながら前進し、押し込み完了時に保安器サブモジュール部分の側面に設けた凹部４３２内に落ち込み、これによって保安器サブモジュールに対するジャックユニット３の掛止が達成される。その際、Ｕスリットハウジングの前端部分がジャックユニットハウジング３２に設けたソケット部に嵌合するように構成すれば、ジャックユニット３の掛止状態が更に確固としたものになる。
【００３５】
図３中、符合３４は、ベース３１がハウジング３２内に収納された後、このハウジングの開放部を閉鎖するための蓋材を示すものである。
【００３６】
上記のように構成された試験アダプタ１は、電話局等内の上記架枠に搭載された保安器モジュールの回線切り分け、回線試験を行う際に、該当する保安器サブモジュールの試験弾器４３０に上記のプラグ端子を一括的に差し込んでプラグユニット２を試験弾器４３０に装着し、また、Ｕスリット端子側からジャックユニット３を上記のように装着する。
【００３７】
この状態で上記角窓３２０ａ１〜３２ｂ１６の一つに切分け片、または試験プラグを差し込めば、この角窓に整合している弾器ばね対の弾器ばねが切り分けられて通信回線の状態が確認され、或いは試験プラグによってその通信回線が試験装置に接続されて所定の試験が行われる。
【００３８】
所要の作業が終了し、ジャックユニット３を保安器サブモジュールから取り外す際には、掛止腕片３３ａ,３３ｂの摘み部片３３ａ１，３３ｂ１を摘んでハウジング３２方向へ押し動かせば、掛止部片３３ａ２，３３ｂ２が支持突起３２１を支点として開方向へ回動し、ロック爪３３ａ３，３３ｂ３が凹部４３２から外れるので、ジャックユニット３を保安器サブモジュールから抜き取ることができる。
【図面の簡単な説明】
【００３９】
【図１】本案の試験アダプタの斜視図である。
【図２】図１の試験アダプタの構成部材であるプラグユニットの分解斜視図である。
【図３】図１の試験アダプタの構成部材であるジャックユニットの分解斜視図である。
【図４】図３中のＡ部の拡大尺斜視図である。
【図５】図１の試験アダプタの回路図である。
【図６】図１の試験アダプタを既存保安器サブモジュールに装着した状態を示す斜視図である。
【符号の説明】
【００４０】
１…試験アダプタ
２…プラグユニット
２０ａ１〜２０ａ１６，２０ｂ１，２０ｂ２…プラグ端子
２１ａ，２１ｂ…プラグ端子保持基板
２２…プラグ端子用ハウジング
３…ジャックユニット
３１…ベース
３１ａ，３１ｂ…弾器ばね対の列
３１ａ１〜３１ａ１６,３１ｂ１〜３１ｂ１６…弾器ばね対
３２…ハウジング
３２０ａ１〜３２０ａ１６,３２０ｂ１〜３２０ｂ１６…角窓
３３ａ,３３ｂ…掛止腕片
３３ａ３,３３ｂ３…ロック爪
５…ケーブル
４００…保安器サブモジュール
４２０…Ｕスリットハウジング
４３０…試験弾器
【図１】
0003110650.tif 000003
【図２】
0003110650.tif 000004
【図３】
0003110650.tif 000005
【図４】
0003110650.tif 000006
【図５】
0003110650.tif 000007
【図６】
0003110650.tif 000008